(57)【要約】【課題】油類や危険物等の貯留液を貯留するタンクを対象として非常時における貯留液の周囲への拡散を防止し軽減する。【解決手段】タンク１を取り囲んで設置された防液堤１１と、防液堤の上部に形成されている収納部１１ａに収納された浮上式防液フェンス１２と、浮上式防液フェンスを係留するための係留索１３を備える。浮上式防液フェンスは、非常時に防液堤が水没した際に収納部から水面上に浮上可能なフロート１２ａと、非常時にフロートにより支持されて水面付近に配置されるとともにタンクの周囲に展開せしめられるフェンス本体１２ｂとにより構成される。浮上式防液フェンスおよび係留索にタンク全体を係留する機能を持たせ、浮上式防液フェンスに漂流物がタンクに衝突する際の緩衝機能を持たせる。【選択図】図１
2014025219.tif 000002
【特許請求の範囲】
【請求項１】
水よりも低比重の油類や液状危険物等の貯留液を貯留するタンクを対象として津波や高波による非常時の被害を防止し軽減するための防波構造物であって、
前記タンクを取り囲んで設置された防液堤と、該防液堤の上部に形成されている収納部に収納されていて非常時には水面上に浮上可能かつ前記タンクの周囲に展開可能な浮上式防液フェンスと、該浮上式防液フェンスを前記防液堤または前記タンクの周囲の地盤に対して係留するための係留索を備えてなり、
前記浮上式防液フェンスは、前記防液堤が水没した際に前記収納部から水面上に浮上可能なフロートと、非常時に前記フロートにより支持されて水面付近に配置されるとともに前記タンクの周囲に展開せしめられるフェンス本体とにより構成されてなることを特徴とする防波構造物。
【請求項２】
請求項１記載の防波構造物であって、
前記浮上式防液フェンスおよび前記係留索は、非常時に浮上した前記タンクの漂流を防止する係留機能を有することを特徴とする防波構造物。
【請求項３】
請求項１または２記載の防波構造物であって、
前記浮上式防液フェンスは、非常時に漂流物が前記タンクに衝突する際の衝撃力を緩和する緩衝機能を有することを特徴とする防波構造物。
【発明の詳細な説明】
【技術分野】
【０００１】
本発明は、水よりも低比重の油類や液状危険物等の貯留液を貯留するためのタンクを対象として設置される防波構造物、特に津波や高波による非常時の被害を防止し軽減するための防波構造物に関する。
【背景技術】
【０００２】
周知のように、津波や高波に対する防波構造物として、たとえば特許文献１〜４に示されるような可動式ないし浮上式と称される形式の防波堤や防潮堤が提案されている。
これらは、各種の浮体を堤体内に収納しておいたり海底に倒伏させておき、非常時にはそれらの浮体を海面上に浮上させることで防波機能を発揮させる構造のものである。
【先行技術文献】
【特許文献】
【０００３】
【特許文献１】特開２００６−２４９９１４号公報
【特許文献２】特開２００６−２４１８０６号公報
【特許文献３】特開２００６−７０５３６号公報
【特許文献４】特開２００４−７６３９３号公報
【発明の概要】
【発明が解決しようとする課題】
【０００４】
油類や液状危険物等の貯留液を貯留するための大規模なタンクは、その周囲を防液堤で取り囲むことによって、万一のタンクの破損に伴う貯留液の外部への流出・拡散を防止する必要がある。
【０００５】
図３に従来一般的なタンクに対する防液堤の設置例を示す。これは、（ａ）に示すように水平断面形状が円形の地上式のタンク１を基礎２上に設置し、その周囲にタンク１を全周にわたって取り囲むようにしてほぼ正方形の輪郭をなす防液堤３を設置したものである。
【０００６】
この場合、（ｂ）に示すように防液堤３の高さＨ（地盤面から天端までの寸法）は、タンク１内の貯留液の全量を防液堤３の内側に貯留し得るように（つまり、満液状態のタンク１から貯留液の全量が漏出しても防液堤３を超えて外部に溢れ出さないように）設定される。すなわち、タンクの最大貯留容量Ｖ、防液堤内の面積Ａとすると、Ｈ＞Ｖ／Ａ  となるように設定される。
【０００７】
ところで、この種のタンク１は沿岸部に設置されることが多く、その場合も図３に示したような従来一般的な構造の防液堤３が設置されるのであるが、そのような防液堤３は堤頂を超流してくる大きな津波や高波に対する防護性能は有しておらず、そのような津波や高波の襲来時には有効に機能し得ないものである。
【０００８】
そのため、先の東日本大震災では想定を超える津波が防液堤を容易に乗り越えてタンクや付属配管を破壊してしまい、タンクから流出した油類等の貯留液が津波とともに広範囲に拡散して甚大な被害をもたらした。
しかも、単に津波による波力によってタンクが損傷を受けただけでなく、水没したタンク全体が浮力により浮き上がって漂流してしまう事態も発生し、また津波とともに漂流してきた漂流物がタンクを直撃して破壊してしまい、それが被害を拡大したケースもあったと考えられている。
【０００９】
このように、沿岸部に設置される大規模なタンクに対して単に従来一般的な防液堤を設置しているだけでは、大規模な津波や高波に対しては無防備であることから、この種のタンクに対する非常時の安全性と信頼性を向上させ、被害を軽減するための有効な対策が急務とされているのが実状である。
【課題を解決するための手段】
【００１０】
上記事情に鑑み、本発明はこの種のタンクに設置される従来一般的な防液堤に対して、特許文献１〜４に示されるような可動式ないし浮上式の防波堤や防潮堤の機能を取り入れることにより、大規模な津波や高波の襲来といった非常時において仮にタンクが損傷を受けた場合であっても、貯留液の周囲への拡散といった事態を有効に防止し軽減することを可能としたものである。
【００１１】
すなわち、請求項１記載の発明は、水よりも低比重の油類や液状危険物等の貯留液を貯留するタンクを対象として津波や高波による非常時の被害を防止し軽減するための防波構造物であって、前記タンクを取り囲んで設置された防液堤と、該防液堤の上部に形成されている収納部に収納されていて非常時には水面上に浮上可能かつ前記タンクの周囲に展開可能な浮上式防液フェンスと、該浮上式防液フェンスを前記防液堤または前記タンクの周囲の地盤に対して係留するための係留索を備えてなり、前記浮上式防液フェンスは、前記防液堤が水没した際に前記収納部から水面上に浮上可能なフロートと、非常時に前記フロートにより支持されて水面付近に配置されるとともに前記タンクの周囲に展開せしめられるフェンス本体とにより構成されてなることを特徴とする。
【００１２】
請求項２記載の発明は、請求項１記載の防波構造物であって、前記浮上式防液フェンスおよび前記係留索は、非常時に浮上した前記タンクの漂流を防止する係留機能を有することを特徴とする。
【００１３】
請求項３記載の発明は、請求項１または２記載の防波構造物であって、前記浮上式防液フェンスは、非常時に漂流物が前記タンクに衝突する際の衝撃力を緩和する緩衝機能を有することを特徴とする。
【発明の効果】
【００１４】
本発明の防波構造物をタンクの周囲に設置しておくことにより、通常時においては従来一般的な防液堤と同様の防液機能を有することはもとより、大規模な津波や高波が襲来して防液堤が水没するような事態となった非常時には、防液堤の収納部に収納されていた浮上式防液フェンスが自ずと水面上に浮上してタンク全体を取り囲むように展開される。
したがって、そのような場合においてタンクが万一破損を生じて貯留液がタンクから外部に漏出したような事態となったとしても、その漏出液を浮上式防液フェンスの内側に滞留するに留めて外部にまで流出してしまうことを阻止し、以て多量の貯留液がそのまま広範囲に拡散してしまうことが有効に防止されてそれによる被害を十分に防止ないし大幅に軽減することが可能である。
また、本発明の防波構造物によれば、タンクが万一浮き上がってしまった場合には浮上式防液フェンスおよび係留索によりタンク全体を係留することが可能であり、したがって浮上したタンクがそのまま遠方にまで漂流してしまう事態を防止することが可能である。
さらに、本発明の防波構造物によれば、浮上式防液フェンスによって漂流物がタンクに衝突する際の衝撃を緩和することも可能であり、それによるタンクの破損を軽減することが可能である。
【図面の簡単な説明】
【００１５】
【図１】本発明の実施形態である防波構造物の概略構成を示す立面図であって、（ａ）は通常時の状態、（ｂ）は非常時（津波襲来時に防液堤が水没した状態）の状態を示す図である。
【図２】同、非常時の状態を示す平面図である。
【図３】従来一般的な防液堤の設置例を示す図であって、（ａ）は平面図、（ｂ）は立面図である。
【発明を実施するための形態】
【００１６】
以下、本発明の防波構造物の実施形態について図１〜図２を参照して説明する。
本実施形態の防波構造物１０は、水（厳密には海水）よりも低比重の油類や液状危険物等の貯留液を貯留するためのタンク１を対象として、そのタンク１が大規模な津波や高波といった非常時において貯留液が漏出するような破損が生じたとしても、この防波構造物１０によって貯留液が広範囲に拡散してしまうという事態を回避し、以て貯留液の流出による被害を十分に防止し軽減することが可能なものである。
【００１７】
本実施形態の防波構造物１０は、基本的には図３に示した従来一般的な防液堤３に代えてそれと同様の形態と機能を有する防液堤１１をタンク１全体を取り囲んで設置するものであるが、その防液堤１１の上部には浮上式防液フェンス１２を収納するための収納部１１ａを設けておき、その収納部１１ａに浮上式防液フェンス１２を常に収納しておくことを主眼とする。
【００１８】
なお、本実施形態における防液堤１１は、収納部１１ａが形成されていることを除けば実質的に従来一般的な防液堤３と同様の構造、形態のもので良く、通常時は従来一般の防液堤３と同様の防液機能（タンク１から万一漏出した貯留液の周囲への流出を防止する機能）を備えたものとして設置しておけば良い。
但し、本実施形態の防波構造物１０における防液堤１１は、そのような従来一般的な防液堤としての本来の機能に加えて、想定規模の津波や高波が襲来した際にもそれに耐え得る強度を有するものとすることが好ましく、少なくともその際に浮上式防液フェンス１２を支障なく浮上せしめることが可能であり、かつその浮上式防液フェンス１２の機能を損なわないものであることが必要である。
【００１９】
本実施形態における浮上式防液フェンス１２は、図１（ｂ）、図２に示すように、大規模な津波や高波が襲来した非常時において防液堤１１が水没した際に収納部１１ａから水面上（襲来した津波ないし高波の海面上）に自ずと浮上可能なフロート１２ａと、非常時にそのフロート１２ａにより支持されて水面付近（襲来した津波ないし高波の海面から所定水深まで）に配置されるとともにタンク１の周囲に展開可能なフェンス本体１２ｂとにより構成されている。
【００２０】
本実施形態におけるフロート１２ａとしては、通常時には収納部１１ａに収納可能であり、かつ非常時には水面上に浮上してフェンス本体１２ｂを水面付近に支持可能な浮力を有するものであれば良く、たとえば中空体や空気袋、発泡材等の任意の形式の浮体を採用可能である。
なお、フロート１２ａとしては、エアバッグのように通常時には小さく萎ませておいて、非常時に空気やガス等の気体を注入して瞬時に膨張して浮力を確保する形式のものも採用可能である。
【００２１】
本実施形態におけるフェンス本体１２ｂとしては、従来一般にはオイルフェンスとして使用されている各種のシート材や膜材が好適に採用可能であるが、通常時にはコンパクトに折り畳んだ状態で収納部１１ａに収納しておき、かつ非常時にはフロート１２ａにより水面上に引き上げられて自ずと展開されることによりフロート１２ａから垂れ幕式に吊り支持された状態で水面付近に配置されるものとしておく。
【００２２】
そして、それらフロート１２ａとフェンス本体１２ｂにより構成されている浮上式防液フェンス１２の全体は、複数本（たとえば図２に示されるように８本）の係留索１３によって防液堤１１に対して係留されている。
したがって、大規模な津波や高波の襲来により防液堤１１が水没したような非常時には、図２に示すように浮上式防液フェンス１２の全体が自ずと収納部１１ａから浮上して、タンク１全体を取り囲むように展開された状態で水面付近に配置され、その状態で浮上式防液フェンス１２の全体が係留索１３により係留されて漂流することなくその位置に留まるものとされている。
なお、上述したように防液堤１１が津波や高波に十分に耐え得る強度を有している場合には、図示例のように係留索１３を防液堤１１に対して締結しておけば良いが、非常時に防液堤１１が損壊して係留索１３を確実に係留し得ないことが懸念される場合には、係留索１３を防液堤１１付近の地盤に対して確実堅固にアンカーしておくことにより、仮に防液堤１１が損壊しても浮上式防液フェンス１２がタンク１の周囲に確実に係留されるようにしておくと良い。
【００２３】
上記のように構成された本実施形態の防波構造物１０は、通常時においては図１（ａ）に示すように浮上式防液フェンス１２の全体を防液堤１１の上部の収納部１１ａ内にコンパクトに収納しておくことにより、図３に示した従来一般的な防液堤３と同様に防液堤１１による通常時の防液機能を支障なく発揮し得るものである。
【００２４】
そのような防液堤本来の機能に加えて、大規模な津波や高波が襲来して防液堤１１が水没するような事態となった非常時においては、図１（ｂ）、図２に示すように収納部１１ａに収納されていた浮上式防液フェンス１２が自ずと水面上に浮上し、フェンス本体１２ｂがフロート１２ａから吊り支持された状態で水面付近においてタンク１全体を取り囲むように展開される。
この状態において、図１（ｂ）に示すようにタンク１が万一破損を生じて貯留液がタンク１から外部に漏出したような事態となったとしても、その漏出液Ｌは浮上式防液フェンス１２の内側において水面上に浮遊して滞留するに留まって外部にまで流出してしまうことは阻止され、したがってタンク１内の多量の貯留液がそのまま広範囲に拡散してしまうことが有効に防止され、それによる被害を十分に防止ないし大幅に軽減することが可能である。
なお、満液状態のタンク１が破損した場合を想定してその時点で貯留されていた全貯留液の流出を確実に防止することが好ましく、そのためには、図１（ｂ）に示すように浮上式防液フェンス１２の展開時に水面下に水没する部分の高さ寸法を少なくとも図３に示したＨ以上に相当するように設定しておくと良い。それにより、タンク１内に最大限に貯留されていた貯留液の全量が漏出したとしてもその漏出液Ｌがフェンス本体１２ｂの下部を潜り抜けて周囲へ拡散してしまうことを確実に防止することができる。
勿論、津波が終息した後には漏出液Ｌはタンク１の周辺に残留した状態となるから、適宜回収し排出すれば良い。
【００２５】
また、大規模な津波の際にはタンク１全体が大きな浮力を受けて基礎２上に浮き上がってしまう事態も想定されるが、本実施形態の防波構造物１０を設置しておけばそのような場合においても浮上式防液フェンス１２と係留索１３がタンク１に対する係留機能を発揮し、したがって浮上したタンク１がそのまま遠方にまで漂流してしまうという最悪の事態は未然に防止することが可能である。
但し、本実施形態の防波構造物１０がタンク１に対する漂流防止機能を有効に発揮するためには、浮上式防液フェンス１２および係留索１３が津波の波力に抗してタンク１全体を係留するに十分な強度を有するものとして設置しておく必要があることは当然である。
【００２６】
さらに、大規模な津波の際には津波とともに漂流してくる様々な漂流物がタンク１を直撃してタンク１を破損させる懸念もあるが、本実施形態の防波構造物１０における浮上式防液フェンス１２には漂流物がタンク１に衝突する際の衝撃力を緩和して破損を防止し軽減する緩衝機能を持たせることができる。
そのためには、フロート１２ａをたとえば従来一般的な防舷材と同様のものとしてそのフロート１２ａに十分な強度と緩衝機能を持たせておく（その素材としてはたとえば十分な浮力と強度を有する発泡材等が好適に採用可能である）ことが好ましく、フェンス本体１２ｂの素材もそのような緩衝機能を備えたものとしておくことが好ましい。
なお、想定規模を超える津波や高波が襲来した際に、仮に浮上式防液フェンス１２が破壊されたとしても、防液堤１１のみが設置されている場合に比べて、波力の低減効果やタンク１が浮いた場合の移動距離の低減効果、漂流物の衝突防止効果が高まることが期待できる。
【００２７】
以上、本発明の一実施形態について説明したが、上記実施形態はあくまで好適な一例であって本発明は上記実施形態に限定されるものではなく、たとえばタンク１の形態や構造、規模、防液堤１１や浮上式防液フェンス１２、係留索１３の具体的な構成その他については、本発明の要旨を逸脱しない範囲内で適宜の設計的変更や応用が可能であることは当然である。
【符号の説明】
【００２８】
１  タンク
２  基礎
１０  防波構造物
１１  防液堤
１１ａ  収納部
１２  浮上式防液フェンス
１２ａ  フロート
１２ｂ  フェンス本体
１３  係留索
【図１】
2014025219.tif 000003
【図２】
2014025219.tif 000004
【図３】
2014025219.tif 000005